(57)【要約】【課題】組立作業の作業性の向上が図り易く製作コストが低廉になると共に廃棄作業における面倒な分別も軽減され廃棄作業の能率化が図り易い弾球遊技機の透明板保持枠を提供する。【解決手段】一対の前・後板部材１３ａ，１３ｂを前後に所定の間隔離して重ね固定することにより形成される合成樹脂製の透明板ユニット１３と、該透明板ユニット１３の前面に装着される合成樹脂製の装飾カバー１４と、からなり、透明板ユニット１３の前板部材１３ａは、その中央部に遊技盤３の前面を前側から視認するための透明板部１５が形成されると共にその周囲に該透明板部１５を囲うようにして装飾カバー１４を取り付けるための取付板部１６が一体に形成され、後板部材１３ｂは前板部材１３ａの透明板部１５と同じ大きさの透明板部１９から形成されている。【選択図】図２
2011152316.tif 000002
【特許請求の範囲】
【請求項１】
内側ガイドレールなどの盤面部品が装着される遊技盤を配設した内枠の前面に、前記遊技盤の前面を覆うようにして開閉自在に装着される弾球遊技機の透明板保持枠であって、
一対の前・後板部材を前後に所定の間隔離して重ね固定することにより形成される合成樹脂製の透明板ユニットと、前記透明板ユニットの前面に装着される合成樹脂製の装飾カバーと、からなり、
前記透明板ユニットの前板部材は、その中央部に前記遊技盤の前面を前側から視認するための透明板部が形成されると共にその周囲に該透明板部を囲うようにして前記装飾カバーを取り付けるための取付板部が一体に形成され、前記後板部材は前記前板部材の透明板部と同じ大きさの透明板部から形成されていることを特徴とする弾球遊技機の透明板保持枠。
【請求項２】
前記後板部材の透明板部の後面に、前記遊技盤の前面に敷設される内側ガイドレールの前端周縁に沿って、前記内側ガイドレールの前端周縁と前記後板部材の透明板部の後面との間の隙間を塞ぐ凸条板部を一体に設けた請求項１記載の弾球遊技機の透明板保持枠。
【発明の詳細な説明】
【技術分野】
【０００１】
内側ガイドレールなどの盤面部品が装着される遊技盤を配設した内枠の前面に、前記遊技盤の前面を覆うようにして開閉自在に装着される弾球遊技機の透明板保持枠に関するものである。
【背景技術】
【０００２】
従来、例えば弾球遊技機の一種であるパチンコ遊技機は、縦長方形枠状の外枠の前面に内枠が開閉自在に装着され、該内枠に内側ガイドレールなどの盤面部品を装着した遊技盤が配設されている。また、内枠の前面には、前記遊技盤の前面の遊技部を覆うようにして透明板保持枠が開閉自在に装着される。該透明板保持枠は、前記遊技盤前面の遊技部に対応位置して窓開口を開設した装飾カバーと、該装飾カバーとほぼ同じ大きさからなりその後面に重ねて取り付けられる補強枠と、該補強枠に取着され前記装飾カバーの窓開口を塞ぐ透明板ユニットと、からなっている。該透明板ユニットは、前後に所定の間隔離して重ねられ固定される一対の透明板部を備えてなる。そして、内枠の前面に透明板保持枠を閉めたときには、透明板保持枠の透明板部を介して遊技盤面の遊技部が視認できることになる（例えば、特許文献１参照。）。
【先行技術文献】
【特許文献】
【０００３】
【特許文献１】特開平１０−２６３１６６号公報（第２−７頁、段落００２５乃至００２９、図７）
【発明の概要】
【発明が解決しようとする課題】
【０００４】
しかしながら、前記特許文献１に係る透明板保持枠は、主たる構成部材が装飾カバーと該装飾カバーの後面に取着される補強枠と該補強枠に取り付けられる透明板ユニットとからなり、これら透明板保持枠を構成する主たる部材が三部材と多いことから、透明板保持枠を組み立てる組立作業の作業性の向上が図り難く製作コストも高く付いていた。また、前記保持枠本体は金属製、装飾カバーは合成樹脂製、透明板ユニットの各透明板部はガラス製であって比較的重量が増し組立上扱い難いばかりか、素材がそれぞれ異なることから古くなった後の廃棄処分に面倒な分別作業が必要になり、廃棄作業の能率化が図り難いという課題も有る。
【０００５】
そこで、本発明は上記課題を解決すべくなされたもので、組立作業の作業性の向上が図り易く製作コストも低廉にできると共に廃棄作業における面倒な分別も軽減され廃棄作業の能率化が図り易い弾球遊技機の透明板保持枠を提供することを目的とするものである。
【課題を解決するための手段】
【０００６】
かかる目的を達成するため本発明の弾球遊技機の透明板保持枠は、内側ガイドレールなどの盤面部品が装着される遊技盤を配設した内枠の前面に、前記遊技盤の前面を覆うようにして開閉自在に装着される弾球遊技機の透明板保持枠であって、一対の前・後板部材を前後に所定の間隔離して重ね固定することにより形成される合成樹脂製の透明板ユニットと、前記透明板ユニットの前面に装着される合成樹脂製の装飾カバーと、からなり、前記透明板ユニットの前板部材は、その中央部に前記遊技盤の前面を前側から視認するための透明板部が形成されると共にその周囲に該透明板部を囲うようにして前記装飾カバーを取り付けるための取付板部が一体に形成され、前記後板部材は前記前板部材の透明板部と同じ大きさの透明板部から形成されていることを特徴とする。
【０００７】
この際、前記後板部材の透明板部の後面に、前記遊技盤の前面に敷設される内側ガイドレールの前端周縁に沿って、前記内側ガイドレールの前端周縁と前記後板部材の透明板部の後面との間の隙間を塞ぐ凸条板部を一体に設けるようにすることが好ましい。
【発明の効果】
【０００８】
本発明に係る弾球遊技機の透明板保持枠は、一対の前・後板部材を前後に所定の間隔離して重ね固定することにより形成される合成樹脂製の透明板ユニットと、該透明板ユニットの前面に装着される合成樹脂製の装飾カバーと、からなる。前記透明板ユニットの前板部材は、その中央部に遊技盤の前面を前側から視認するための透明板部が形成されると共にその周囲に該透明板部を囲うようにして前記装飾カバーを取り付けるための取付板部が一体に形成され、前記後板部材は前記前板部材の透明板部と同じ大きさの透明板部から形成されている。このように、透明板ユニットに装飾カバーを取り付けるようにしているので、主たる構成部材を極力少なくでき、これにより透明板保持枠の組立作業の作業性の向上が図り易くなり、製作コストも低廉に成し得る。また、前記主たる構成部材がすべて合成樹脂材からなることから、古くなった後に廃棄する場合の分別が容易となり、廃棄作業の能率化が図り易いという効果を奏する。
【０００９】
この際、前記後板部材の透明板部の後面に、前記遊技盤の前面に敷設される内側ガイドレールの前端周縁に沿って、該内側ガイドレールの前端周縁と前記後板部材の透明板部の後面との間の隙間を塞ぐ凸条板部を一体に設けるようにすれば、該内側ガイドレールの前端周縁と後板部材の透明板部の後面との間の隙間が凸条板部により塞がれることになり、その隙間から遊技盤面に針金やセル板といった不正具を這わせて行なわれる不正行為を未然に防止することができるという効果も有る。
【図面の簡単な説明】
【００１０】
【図１】本発明に係る透明板保持枠の斜視図。
【図２】透明板ユニットの分解斜視図。
【図３】装飾カバーの分解斜視図。
【図４】本発明に係る透明板保持枠の正面図。
【図５】同背面図。
【図６】図４のＸ−Ｘ線断面図。
【図７】図４のＹ−Ｙ線断面図。
【図８】図４のＺ−Ｚ線断面図。
【図９】本発明が適用されるパチンコ遊技機であって透明板保持枠を開いた状態の斜視図。
【発明を実施するための形態】
【００１１】
以下、本発明に係る弾球遊技機の透明板保持枠の最良の実施の形態を図面に基づき詳しく説明する。本発明の透明板保持枠は、例えばパチンコ遊技機、アレパチ遊技機、雀球遊技機等の弾球遊技機に適用されが、この内、パチンコ遊技機に適用される場合について説明する。図１は本発明に係る透明板保持枠の斜視図、図２は透明板ユニットの分解斜視図、図３は装飾カバーの分解斜視図、図４は本発明に係る透明板保持枠の正面図、図５は同背面図である。
【００１２】
まず、図９に基づき本発明が適用されるパチンコ遊技機について説明する。該パチンコ遊技機Ｐは、縦長方形状の外枠１を有し、該外枠１の前面に一側を外枠１の一側に軸着して自在に開閉する内枠２が設けられる。該内枠２の上部に、遊技盤３が配設される。該遊技盤３の前面には盤面部品である内側ガイドレール４ａと外側ガイドレール４ｂが略渦巻き状に敷設され、該内側・外側ガイドレール４ａ，４ｂに囲まれて遊技部３ａが形成される。この遊技部３ａにも盤面部品としてその中央部に図柄を変動表示する可変表示装置５が配設され、その下方に弾球であるパチンコ球の入賞により該可変表示装置５を作動させる始動入賞口６が配設される。また、その下方に前記図柄が特定の図柄（例えば、「７７７」）に揃って遊技者に有利な特別遊技状態となったとき、開成して一度に多くの入賞球を発生させる大型の入賞装置７が配設されている。
【００１３】
内枠２の前面上部に、遊技盤３前面を覆うようにして透明板保持枠８がその一側を該内枠２の一側に軸着して自在に開閉するように設けられ、その下方に遊技盤３の下部前面を覆うようにして前板９が開閉自在に設けられている。前板９の前面には、パチンコ遊技機Ｐの裏側に配設された不図示の球払出装置から払い出されたパチンコ球を貯留し不図示の打球発射位置へ供給する上部の球受皿１０が装着される。またその下方に、該上部の球受皿１０から溢れるパチンコ球を貯留する下部の球受皿１１が装着されている。１２は、内枠２の前面であって下部の球受皿１１の一側に設けられ打球発射位置に供給されるパチンコ球の打球力を調整する打球力調整ハンドルである。
【００１４】
次に、透明板保持枠８について詳しく説明する。透明板保持枠８は例えばポリカーボネート樹脂といった硬質の合成樹脂材からなる透明板ユニット１３と、該透明板ユニット１３の前面に装着され硬質の合成樹脂材からなる装飾カバー１４と、の組み合わせからなる。この内、透明板ユニット１３は、更に、前側の前板部材１３ａと該前板部材１３ａの後面に取着される後板部材１３ｂとからなる。前板部材１３ａは略正方形板状をなし、その中央に前記遊技盤３の遊技部３ａに合致する略円形の透明板部１５が形成される。該透明板部１５の周囲に、該透明板部１５を囲うようにして前記装飾カバー１４を取り付けるための取付板部１６が形成される。該取付板部１６は透明、半透明、不透明のいずれでも良い。また取付板部１６には、図６、図７に示すように後記するＬＥＤ基板３０ａ，３０ｂ，３０ｃや補強板２５ａ，２５ｂ，２５ｃを取り付けるためのフック片１６ａが設けられている。更に、取付基板１６の前面上部の両側に、前面が開放する収納凹部１７，１７が形成されている。これはスピーカ１８，１８を収納しておくためのものである。
【００１５】
一方、後側の後板部材１３ｂは縦長楕円板状の透明板部１９からなり、その外周縁に前方へ突出する縁枠２０が周設されている。この縁枠２０の幅によって、前側の透明板部１５と後側の透明板部１９との間隔寸法が決められる。図５，図８に示すように縁枠２０の外周前端縁に前面で開口する環状溝２１が凹設されている。該環状溝２１には後記する前板部材１３ａ側の環状突部３２が嵌入することになる。また、縁枠２０の外周縁であってその上下・左右の四箇所に、それぞれ取付片２２が該透明板部１９と平行な平面に沿って突設されている。更に、縁枠２０の下部外周面に下方へ突出するように突板部２３が設けられている。該透明板部１９の後面には、前記内側ガイドレール４ａに対応位置して後方へ突出する弧状の凸条板部２４が一体に突設されている。該凸条板部２４は高さが５〜１０ｍｍであって合成樹脂製の透明板部１９と一体に成形しても良く、または別体として設けるようにしても良い。これは、後で詳しく説明するが不正防止のためである。
【００１６】
前記透明板ユニット１３における前板部材１３ａの後面には、その透明板部１５を外側から囲うようにして四個の補強板２５ａ〜２５ｄが取り付けられる。すなわち、透明板部１５の上下に位置して上部補強板２５ａと下部補強板２５ｂが重ねて取り付けられ、透明板部１５の両側部に位置して左・右部補強板２５ｃ，２５ｄが重ねて取り付けられる。これら補強板２５ａ〜２５ｄは例えば金属板が想定されるが、他に一定の強度を有すれば金属板に限ることは無く、ただ軽量であることが好ましい。そして、上・下部補強板２５ａ，２５ｂであって後側の透明板部１９の外周縁に突設された各取付片２２に対応位置して、これら取付片２２に係合する係止片２６が設けられている。各係止片２６は図５に示すように上・下部補強板２５ａ，２５ｂに軸着され、その後面と平行な面に沿って回動する。そして、前側の透明板部１５の後面に後側の透明板部１９すなわち後板部材１３ｂを重ねた状態で、各係止片２６を回動させて各取付片２２の上面に重ね固定することで、透明板ユニット１３が形成される。下部補強板２５ｂにおける後面の中央部に、平面コ字状の線材からなる補強杆２７が固着されている。
【００１７】
装飾カバー１４は透光性の合成樹脂材により成形され、その中央部に前記透明板ユニット１３の透明板部１５，１９に合致する窓開口２８が開設される。また、装飾カバー１４の内部は後面が開放した空洞状に形成され、該後面に発光体である多数のＬＥＤ２９を配置した三個のＬＥＤ基板３０ａ，３０ｂ，３０ｃが臨む。これらＬＥＤ基板３０ａ，３０ｂ，３０ｃの内、一個のＬＥＤ基板３０ａは取付板部１６の前面上部に配設され、残りの二個のＬＥＤ基板３０ｂ，３０ｃは取付板部１６の前面両側部に配置され、フック片１６ａにより固定される。装飾カバー１４の上部両側の前面に、前記内蔵される両スピーカ１８，１８に対応して透音孔３１，３１が開設され、内部に設置された両スピーカ１８，１８の音が快適に流されるようになっている。
【００１８】
本発明に係る透明板保持枠は上記構成からなり、透明板ユニット１３における前板部材１３ａの後面に各補強板２５ａ〜２５ｄを取着し、図６に示すように下端部の突板部２３を補強杆２７に上から挿通すると共に前板部材１３ａの後面であって透明板部１５の外周に後方へ突出するように設けられる環状突部３２を後板部材１３ｂの前面に設けられた環状溝２１に嵌入して前板部材１３ａの後面に後板部材１３ｂを宛がう。そして、前側の透明板部１５と後側の透明板部１９とが合致した状態で、前板部材１３ａ側の各係止片２６を回動して後板部材１３ｂ側の各取付片２２に係合させる。次に、前板部材１３ａの前面上部の収納凹部１７，１７にそれぞれスピーカ１８を収納し、装飾カバー１４の後面を前板部材１３ａの前面に宛がう。そして、不図示の取付手段、例えばビスとビス孔または係合片と該係合片を係合させる係合孔、により透明板ユニット１３と装飾カバー１４とを一体に組み立てる。これにより透明板保持枠８が形成される。
【００１９】
本発明に係る透明板保持枠は一対の前・後板部材１３ａ，１３ｂを前後に所定の間隔離して重ね固定することにより形成される合成樹脂製の透明板ユニット１３と、該透明板ユニット１３の前面に装着される合成樹脂製の装飾カバー１４と、からなる。そして、前記透明板ユニット１３の前板部材１３ａは、その中央部に遊技盤３の前面を前側から視認するための透明板部１５が形成されると共にその周囲に該透明板部１５を囲うようにして前記装飾カバー１４を取り付けるための取付板部１６が一体に形成される。また前記後板部材１３ｂは、前記前板部材１３ａの透明板部１５と同じ大きさの透明板部１９から形成される。このように、透明板ユニット１３における前板部材１３ａに取付板部１６を形成し、該取付板部１６により装飾カバー１４を取り付けるようにしている。よって、透明板保持枠８の主たる構成部材を極力少なくでき、これにより透明板保持枠８の組立作業の作業性の向上が図り易く、製作コストも低廉に成し得る。しかも、前記主たる構成部材がすべて合成樹脂材からなるので、透明板保持枠８が古くなった後に廃棄する場合の分別が容易となり、廃棄作業の能率化が図り易いという効果を奏する。また、透明板ユニット１３や装飾カバー１４が合成樹脂製であることから、透明板保持枠８の軽量化も図れる。
【００２０】
更に、本発明にあっては前記透明板ユニット１３における後板部材１３ｂの後面に、遊技盤３の前面に敷設される内側ガイドレール４ａの外周に沿って、該内側ガイドレール４ａの前端周縁と前記後板部材１３ｂの透明板部１９の後面との間の隙間Ｓをその外側から塞ぐ凸条板部２４を一体に設けている。よって、図８に示すように透明板保持枠８をパチンコ遊技機Ｐにおける内枠２の前面に装着したとき、前記内側ガイドレール４ａの前端周縁と後側の透明板部１９の後面との間の隙間Ｓが塞がれ、その隙間Ｓから遊技盤３の遊技部３ａに針金やセル板といった不正具を這わせて行なわれる不正行為が未然に防止される。また図示は省略するが、本発明にあっては例えば前記後板部材１３ｂにおける透明板部１９の後面に、前記内側ガイドレール４ａを一体に設けるようにすることも可能である。
【００２１】
前記透明板ユニット１３における前側の透明板部１５の前面や後側の透明板部１９の後面に、例えばその強度を高めるため、またはその帯電防止を図るため、またはその防塵を図るため、またはその抗菌を図るため、またはその耐熱を図るため、それぞれの要求に適したコーティング剤の層を形成するようにしても良い。その方法としては、例えばそれらコーティング剤を透明板部１５，１９の表面に塗布または噴霧する手段が採られる。
【符号の説明】
【００２２】
２              内枠
３              遊技盤
４ａ            内側ガイドレール
８              透明板保持枠
１３            透明板ユニット
１３ａ          前板部材
１３ｂ          後板部材
１４            装飾カバー
１５            透明板部
１６            取付板部
１９            透明板部
２４            凸条板部
Ｐ              弾球遊技機（パチンコ遊技機）
Ｓ              隙間
【図１】
2011152316.tif 000003
【図２】
2011152316.tif 000004
【図３】
2011152316.tif 000005
【図４】
2011152316.tif 000006
【図５】
2011152316.tif 000007
【図６】
2011152316.tif 000008
【図７】
2011152316.tif 000009
【図８】
2011152316.tif 000010
【図９】
2011152316.tif 000011